(57)【要約】【課題】画像表示部の左右回転が可能なスタンドを有する画像表示装置において、運搬時や設置時に画面の正面方向とスタンドの正面方向を合わせる作業をユーザが行う必要がないようにする。【解決手段】画像表示装置の画面を支持する支持装置であって、設置面に載置するためのベース部と、前記ベース部に対し設置面に垂直の軸周りに回転可能に組み付けられ、所定の基準位置を中心に時計回り及び反時計回りにそれぞれ所定の角度範囲で回転する回転部と、前記回転部に固定され、画面を支持する支柱部と、前記回転部を所定の方向に回転させる付勢力を発生する第一の付勢部と、前記回転部を前記所定の方向と逆方向に回転させる付勢力を発生する第二の付勢部と、を備える支持装置。【選択図】図１
2014047859.tif 000002
【特許請求の範囲】
【請求項１】
画像表示装置の画面を支持する支持装置であって、
設置面に載置するためのベース部と、
前記ベース部に対し設置面に垂直の軸周りに回転可能に組み付けられ、所定の基準位置を中心に時計回り及び反時計回りにそれぞれ所定の角度範囲で回転する回転部と、
前記回転部に固定され、画面を支持する支柱部と、
前記回転部を所定の方向に回転させる付勢力を発生する第一の付勢部と、
前記回転部を前記所定の方向と逆方向に回転させる付勢力を発生する第二の付勢部と、を備える支持装置。
【請求項２】
前記回転部が前記基準位置にある状態では、前記第一の付勢部が発生する付勢力と前記第二の付勢部が発生する付勢力とは大きさが等しい請求項１に記載の支持装置。
【請求項３】
前記第一の付勢部は、一端が前記ベース部に固定され他端が前記回転部に固定された第一のばねであり、
前記第二の付勢部は、一端が前記ベース部に固定され他端が前記回転部に固定された第二のばねである請求項１または２に記載の支持装置。
【請求項４】
前記第一のばね及び前記第二のばねは同じ仕様のばねであり、
前記回転部が前記基準位置にある状態において、
前記ベース部における前記第一のばねが固定される位置と前記回転部における前記第一のばねが固定される位置との距離と、
前記ベース部における前記第二のばねが固定される位置と前記回転部における前記第二のばねが固定される位置との距離と、
は等しい請求項３に記載の支持装置。
【請求項５】
前記ベース部における前記第一のばねが固定される位置と、前記ベース部における前記第二のばねが固定される位置と、は同じ位置であり、
前記回転部における前記第一のばねが固定される位置と、前記回転部における前記第二のばねが固定される位置と、は前記回転部が前記基準位置にある状態において前記回転部の回転中心と前記第一のばね及び前記第二のばねが固定される前記ベース部の位置とを結ぶ線に対し対称の位置にある請求項４に記載の支持装置。
【請求項６】
前記第一のばね及び前記第二のばねは、前記回転部の円弧状の外周面に沿って配置され、前記外周面において前記第一のばね及び前記第二のばねが接触する部位には、前記外周面と前記第一のばね及び前記第二のばねとの摩擦を低減するガイドが設けられる請求項３〜５のいずれか１項に記載の支持装置。
【請求項７】
前記回転部にはギヤ歯が形成されており、
前記回転部のギヤ歯に噛み合うように配置される第一のギヤ及び第二のギヤを更に備え、
前記第一の付勢部は、前記第一のギヤの回転により前記回転部が前記所定の方向に回転するように前記第一のギヤを回転させる付勢力を発生し、
前記第二の付勢部は、前記第二のギヤの回転により前記回転部が前記所定の方向と逆方向に回転するように前記第二のギヤを回転させる付勢力を発生する請求項１に記載の支持装置。
【請求項８】
前記回転部が前記基準位置にある状態では、前記第一のギヤを介して前記回転部に作用する力と、前記第二のギヤを介して前記回転部に作用する力とは大きさが等しい請求項７
に記載の支持装置。
【請求項９】
前記回転部の回転を規制する規制部と、
ユーザ操作により前記規制部が前記回転部の回転を規制する状態と規制しない状態とを切り替え可能な操作部と、
を備える請求項１〜８のいずれか１項に記載の支持装置。
【請求項１０】
請求項１〜９のいずれか１項に記載の支持装置により画面が支持される画像表示装置。
【発明の詳細な説明】
【技術分野】
【０００１】
本発明は画像表示装置及びその支持装置に関するものである。
【背景技術】
【０００２】
テレビ、コンピュータの端末、広告媒体、医療用機器、画像製作などの用途に、モニタ（画像表示装置）が用いられている。
【０００３】
これらのモニタでは、画像表示部を支持するスタンドに、左右回転（スイーベル）機構を搭載した製品がある。左右所定の角度まで任意の角度に画面の向きを変更することができる。一方、該スタンドのベース部（設置部分）の形状は、上面から見て矩形、円形、Ｖ字型など様々なものがある。
【０００４】
図５はモニタの一例を概念的に示す図面であり、スタンド支柱下部を切断した横断面で表しており、（Ａ）は画像表示部を左方向に５０°回転させた使用状態、（Ｂ）は該モニタをユーザが運搬して別の机に該画像表示部を正面に向けて置いた状態を表している。
【０００５】
モニタ５０は液晶表示パネルを内蔵した装置であり、画像表示部５１をスタンド支柱５４で支持している。
スタンドベース５２は、画像表示部５１の全質量を安定的に支える台座部分であり、上面から見て円形の形状となっている。
スタンド回転部５３は、スタンドベース５２の中央の開口部に回転可能に嵌合した部材であり、スタンド支柱５４を上面で結合している。
【０００６】
画面正面方向５５は、画像表示部５１に内蔵する薄型表示パネルの表示画像を観察者が観察する際の正面方向を示している。
スタンド正面５６は、スタンド回転部５３が左右に６０°ずつ回転する際の中央を表す仮想点である。スタンド回転部５３の回転位置が中央であるときは、スタンド支柱５４はスタンド正面５６と対向する位置関係となり、画面正面方向５５と一致する。
【０００７】
右側回転限度５７は、スタンド回転部５３が右方向に回転可能な最大角度を表す仮想点であり、図には示さないが回転制限手段を設けている。
左側回転限度５８は、スタンド回転部５３が左方向に回転可能な最大角度を表す仮想点である。
【０００８】
尚、左右回転に角度の制限を設ける理由は二つある。第一に、角度によって画像表示部５１の重心位置が変化して転倒性が変わる場合があるからである。第二に、画像表示部５１の背面には図には示さないが電源ケーブルや信号ケーブルが接続されていて、回転角度を大きくすると接続部に応力が加わって信頼性に影響する場合があるからである。
【０００９】
次に複数のユーザが同時にモニタ５０の表示画像を見て編集作業している想定のもと、モニタの使用例について説明する。
まず、左側に座っているユーザに画像表示部５１の向きを合わせるべく、図５（Ａ）に示すように左へ５０°回転させた。
【００１０】
この回転状態を維持したまま電源を切り、該モニタ５０を別のユーザに「隣の部屋の机に移動」を依頼した。
頼まれたユーザは、ＰＣやＡＣコンセントの接続を外した後、モニタ５０の画像表示部
５１の左右底面を持ちあげて運搬し、指定された机の上に画像表示部５１を机の正面に向けて置いた。その時のスタンドベース５２と画像表示部５１の位置関係を図５（Ｂ）で表している。
【００１１】
再び先の複数のユーザが該モニタ５０を使って編集作業を開始した。左側に座っているユーザに画像表示部５１の向きを合わせるべく、図５（Ｂ）に示す状態から左へ回転させ始めると、約１０°回転した所で回転制限が掛かってしまう。
【００１２】
そこで、一人の作業者が画像表示部５１の左右底面を持ちあげ、その状態で、もう一人の作業者がスタンドベース５２のスタンド正面５６の仮想位置を探り、スタンド正面５６が机の正面に向くように机上にモニタ５０を置きなおした。このとき、モニタの設置状態は図５（Ａ）の状態となっているため、画像表示部５１は机の正面の向きから左右に６０°ずつの回転調整が可能となる。
【００１３】
特許文献１にはＣＲＴモニタ用の左右回転可能なスタンド構造が開示されている。図６に特許文献１に記載の従来技術の主要構成を示す。図中の下側の円形部品、回転支持台６０が図５に示すスタンドベース５２に相当し、図中の上側の円形部品の回転台６１が図５に示すスタンド回転部５３に該当している。
【００１４】
本構成においては、ＣＲＴモニタがスタンドの正面に位置した際、回転台６１の裏面に設けた凸球面６２が、回転支持台６０の表面に設けた２本のリブ６３、６４で形成した溝に嵌り込む。
仮に、ＣＲＴモニタをスタンドの正面から左右いずれかに回転させた後、ＣＲＴモニタを正面方向へ戻すと、凸球面６２が、２本のリブ６３、６４で形成した溝に嵌り込む衝撃（技術用語でクリック感）で、ＣＲＴモニタとスタンドとの正面が一致したことがわかる。
【００１５】
特許文献１に示す先行技術においては、設置の際に一度机上にモニタを置いて左右いずれかにゆっくりとＣＲＴモニタを回転させ、クリック感でスタンド正面方向を確認し、再びＣＲＴを持ちあげて置き直す必要があり、やはり設置作業性が良くない。
【００１６】
スタンドベース部が上面から見て矩形やＶ字型の場合にはスタンド正面方向を確認出来る。しかし、画像表示部の左右底面を持って運搬する際にスタンドベース部が回ってしまい、机上に置く際や梱包箱に収納する際にスタンドベース部の方向を、もう一人の作業者が修正する必要が生じることがある。
【先行技術文献】
【特許文献】
【００１７】
【特許文献１】特開２０００−３４６２８４号公報
【発明の概要】
【発明が解決しようとする課題】
【００１８】
従来技術においては以下の課題がある。画像表示部を左右に回転調整可能な画像表示装置において、スタンド形状が円形デザインの市販品では、外観上のスタンド正面方向がわからず、先の例に示したように設置方法を誤って左右均等に回転調整ができなくなる場合があった。
【００１９】
そこで本発明は、画像表示部の左右回転が可能なスタンドを有する画像表示装置において、運搬時や設置時に画面の正面方向とスタンドの正面方向を合わせる作業をユーザが行う必要がないようにすることを目的とする。
【課題を解決するための手段】
【００２０】
本発明は、画像表示装置の画面を支持する支持装置であって、
設置面に載置するためのベース部と、
前記ベース部に対し設置面に垂直の軸周りに回転可能に組み付けられ、所定の基準位置を中心に時計回り及び反時計回りにそれぞれ所定の角度範囲で回転する回転部と、
前記回転部に固定され、画面を支持する支柱部と、
前記回転部を所定の方向に回転させる付勢力を発生する第一の付勢部と、
前記回転部を前記所定の方向と逆方向に回転させる付勢力を発生する第二の付勢部と、を備える支持装置である。
【発明の効果】
【００２１】
本発明によれば、本発明は、画像表示部の左右回転が可能なスタンドを有する画像表示装置において、運搬時や設置時に画面の正面方向とスタンドの正面方向を合わせる作業をユーザが行う必要がないようにすることができる。
【図面の簡単な説明】
【００２２】
【図１】第一の実施例のスタンド機構部分を縦断面で表現した透視図
【図２】第一の実施例のスタンド機構部分を上から見た透視図
【図３】第二の実施例のスタンド機構部分を上から見た透視図
【図４】第三の実施例のスタンド機構部分を上から見た透視図
【図５】従来のスタンド機構部分を上から見た透視図
【図６】従来のスタンド機構部分の平面透視図
【発明を実施するための形態】
【００２３】
（実施例１）
図１は本実施例の特徴を表す画像表示装置の主要なスタンド機構部分を縦断面で表現した透視図である。図２は本実施例の画像表示装置のスタンド機構部分を上から見た透視図であり、（Ａ）は破線で示す画像表示部を左方向へ回転させた状態、（Ｂ）は画像表示部を観察側正面に向けた状態を表現している。両図を用いて本実施例の特徴的な構造について説明する。
【００２４】
画像表示装置１は、薄型の画像表示パネルを利用してＰＣ等の画像出力装置からの画像信号に基づく画像を表示する装置であり、後述の画像表示部２とスタンド３で構成されている。
画像表示部２は液晶パネル（図示せず）を利用して画像を表示する画像表示装置の本体であり、重心位置近傍を後述のスタンド３で支持する構造を有している。内部には該液晶パネルを駆動するための電源基板、信号処理基板、制御基板などの電気基板類（図示せず）を内蔵し、全体を外装で覆っている。
【００２５】
スタンド３は画像表示部２を支持するための積載台であり、下部は机上などの設置面に安定的に載置するためのスタンドベース部と、垂直に延びる支柱部からなる。
スタンド支柱４は内部に昇降機構（図示せず）を有して画像表示部２の高さ調整機構を有しており、上部には画像表示部２の傾きを調整可能とするチルト機構（図示せず）も内蔵している。
スタンドベース固定部５は内部に、後述する左右回転機構を内蔵し、表面は外観性を有する樹脂製の部品であり、上面から見て円形のデザインとなっている。
【００２６】
スタンド回転部６は、スタンドベース固定部５の中央部に設けた開口に位置する金属製の円盤形状を有する部品である。スタンド回転部６は、上面にはスタンド支柱４がねじ（
図示せず）で強固に固定され、側面周囲はスタンドベース固定部５と回転可能に嵌合し、更に下面の一部で、後述するシャーシ７に支持される。スタンド回転部６は設置面に垂直の軸周りに回転可能にスタンドベース固定部５に組み付けられる。
【００２７】
シャーシ７はスタンドベース固定部５の内部底面部に位置する金属製の板材であり、ねじ（図示せず）によりスタンドベース固定部５と結合している。プレス加工によりいくつかの機能構造を形成し、下面には滑り止めのために薄いゴム部材（図示せず）を貼り合わせている。
支持部８はシャーシ７の上面に溶接によって固定した環状部品であり、上面の平面部周囲は上方へ延びるリブを形成し、後述する摺動部材が組込まれる。
【００２８】
回転止め９はシャーシ７にカシメにより固定されている金属製の軸部品であり、スタンド回転部６の動作範囲を規制するため、後述のばね掛け回転部１２（１４）が左方向(右
方向)へ９０°回転すると接触する位置に設けられている。すなわち、スタンド回転部６
は、所定の基準位置を中心に時計回り及び反時計回りにそれぞれ所定の角度範囲で回転する。
【００２９】
ばね掛け固定部１０は、スタンドベース固定部５の内部後方の壁面部から突出した構造部品であり、補強のためにシャーシ７とも金具とねじ（図示せず）で固定されている。突出形状の中央付近には貫通穴を形成し、後述の２本のばねを引っかける機能を有している。
摺動部材１１は摩擦係数の小さな樹脂、たとえばＰＯＭ(ポリアセタール)などの樹脂を環状に形成して支持部８に組み込み、スタンド回転部６の回転操作に要する力を低減する機能を有している。
【００３０】
ばね掛け回転部１２はスタンド回転部６の底面から外側に突出した、Ｌ字形状に加工された金属部品であり、スタンド回転部６の正面方向から見て右側に位置する。
ばね右１３は、ばね掛け固定部１０とばね掛け回転部１２に両端を支持される引っ張りコイルばねであり、スタンド回転部６を常に右方向（上から見て、反時計まわり）に付勢している。ばね右１３はスタンド回転部６を所定の方向に回転させる付勢力を発生する第一の付勢部である。
【００３１】
ばね掛け回転部１４はスタンド回転部６の底面から外側に突出した、Ｌ字形状に加工された金属部品であり、スタンド回転部６の正面方向から見て左側に位置する。
ばね左１５は、ばね掛け固定部１０とばね掛け回転部１４に両端を支持される引っ張りコイルばねであり、スタンド回転部６を常に左方向（上から見て、時計まわり）に付勢している。ばね左１５はスタンド回転部６を所定の方向とは逆方向に回転させる付勢力を発生させる第二の付勢部である。
【００３２】
ばねガイド１６はスタンド回転部６の下面周辺部でばね右１３、ばね左１５に沿う位置に滑らかな面を外向きに突出した形状を成しており、スタンド回転部６が回転する動きに従って伸縮するばね右１３、ばね左１５の動きを円滑にする機能を有している。すなわち、ばねガイド１６は、スタンド回転部６の円弧状の外周面に沿って配置され、外周面においてばね右１３、ばね左１５が接触する部位には、スタンド回転部６の外周面とばね右１３、ばね左１５との摩擦を低減するガイドが設けられる。
【００３３】
上記構成では、ばね右１３及びばね左１５はスタンドベース固定部５における同じ位置（ともにばね掛け固定部１０）に固定される例を示したが、異なる位置に固定されても良い。また、スタンド回転部６が基準位置にある状態において、スタンド回転部６の回転中心とばね掛け固定部１０とを結ぶ線に対しばね掛け回転部１２とばね掛け回転部１４が対
称の位置にある例を示したが、これに限らない。ばね右１３及びばね左１５のばねの仕様を同一とし、スタンド回転部６が基準位置にあるときにばね右１３及びばね左１５の長さが同じ（付勢力が等しい）になれば、ばね掛け固定部１０、ばね掛け回転部１２、ばね掛け回転部１４の位置は上記の例に限定されない。
【００３４】
摺動部材１７は摩擦係数の小さな樹脂、たとえばＰＯＭ(ポリアセタール)などの樹脂を断面Ｌ字型で環状に形成してスタンド回転部６に組み込み、スタンド回転部６とスタンドベース固定部５との回転力を低減する機能を有している。
【００３５】
以上説明した構成による本発明の左右回転機構の動作の特徴について説明する。
１．画像表示部の左右回転操作
画像表示装置１を使用する複数のユーザが、図２（Ａ）に示すように画像表示部２を左方向に回転させているとする。操作方法としては、画像表示部２の正面から見て右側面の背面側に手を伸ばし、引き寄せる動作をすれば、摺動部材１１の効果でスタンド回転部６は円滑に回転する。この時、スタンドベース固定部５の開口部でスタンド回転部６が嵌合しているので、画像表示部２が倒れたり外れたりするような不安定な動作をすることが抑制される。
【００３６】
また、この動作でばね右１３がばね掛け回転部１２に引っ張られて伸び、ばね左１５はばね掛け回転部１４により戻されて縮む。ばね右１３の戻り力が増大するが、スタンド回転部６にはスタンド支柱４や画像表示部２の質量が加わっているため、ばね右１３がスタンド回転部６を戻すことはできないので、画像表示部２はこの操作を停止した位置で保持される。
【００３７】
２．画像表示装置の運搬
上記操作の後に作業を終了したユーザが、離れた別の机上に画像表示装置１を移動させようと、画像表示部２の左右端の底面に両手を掛ける。持ち上げる動作によりスタンドベース固定部５の机上との接地部であるシャーシ７の底面のゴム部材が浮く。このときに、ばね右１３の戻し力により、支持部８、回転止め９、摺動部材１１が設けられたシャーシ７とスタンドベース固定部５がスタンド回転部６に対して時計回り（上面から見て）に回転する。そして、図２（Ｂ）の位置で安定する。シャーシ７とスタンドベース固定部５がばね右１３の力で回転できるのは、設置状態と異なり画像表示部２やスタンド支柱４の質量が掛かっていないからである。また、スタンドベース固定部５とスタンド回転部６（および画像表示部２）との正面方向を合わせるために、本実施例に使用するばね右１３、ばね左１５のばね仕様（コイルの線径、巻き径、長さ、伸縮/ばね力の相関係数）は同じに
している。
【００３８】
以上説明した構成、機能をまとめると、本発明は以下の特徴を有する。
１．スタンド支柱４を支持するスタンド回転部６を、スタンドベース固定部５の中央部に設けた開口に回転可能に配置し、シャーシ７に設けた環状の支持部８で支持した。
２．スタンド回転部６の周囲の上下に環状の摺動部材１７および１１を設けた。
３．スタンドベース固定部５に設けたばね掛け固定部１０とスタンド回転部６の右側（正面より見て）に設けたばね掛け回転部１２との間にばね右１３を設けた。更にスタンドベース固定部５に設けたばね掛け固定部１０とスタンド回転部６の左側（正面より見て）に設けたばね掛け回転部１４との間にばね左１５を設けた。
４．ばね掛け固定部１０とばね掛け回転部１２との空間距離と、ばね掛け固定部１０とばね掛け回転部１４との空間距離を等しくした。
５．引っ張りコイル型のばね右１３、ばね左１５のばね仕様を等しくした。ばね右１３はスタンド回転部６を常に右回転（上面から見て反時計まわり）方向に付勢し、ばね左１５はスタンド回転部６を常に左回転（上面から見て時計まわり）方向に付勢するように配置
した。
６．スタンド回転部６が回転する動きに従って伸縮するばね右１３、ばね左１５の動きを円滑にするためのばねガイド１６をスタンド回転部６の周辺部に配置した。
【００３９】
以上の特徴により、本構成によれば以下の効果がある。画像表示部の左右回転機構を有する画像表示装置において、
１．スタンド支柱を支持するスタンド回転部を、スタンドベース固定部の中央部に設けた開口に回転可能に配置し、シャーシに設けた支持部で摺動部材を介して支持したため、左右回転の操作に要する力が低減し、画像表示部の向きの調整が容易になった。
２．スタンドベース固定部に設けたばね掛け固定部に対して左右同一の空間距離で、二つのばね掛け回転部をスタンド回転部に設け、同一仕様の引っ張りコイルばねを両者間に引っ掛けた。そのため、画像表示部を持ち上げた場合に、スタンドベース固定部とスタンド回転部の正面方向が一致する方向へスタンド回転部が付勢される。そのため、画像表示部を持ち上げたときに、スタンドベース固定部とスタンド回転部の正面方向が一致した状態が実現される。このため、画面の正面方向とスタンドの正面方向を合わせる作業をユーザが行う必要がなくなり、利便性が高まる。画像表示装置をある場所から別の場所に移動させて設置した際に、移動先において左右方向の画像表示部の向きの調整が同じようにできるため操作性が良い。
３．左右各々に設けた引っ張りコイルばねのばね力は、画像表示部とスタンド支柱を合わせた質量に対してスタンド回転部を戻す力より弱くしたため、画像表示部の向きを左右いずれかの任意の位置で保持でき、表示画像を見ながらの作業性が良い。
４．伸縮する左右のばねの動きをスタンド回転部に設けたばねガイドが円滑にするため、左右回転動作を円滑に行うことができる。
【００４０】
（実施例２）
図３は本実施例の特徴を表す画像表示装置の主要なスタンド機構部分を上から見た透視図であり、（Ａ）は破線で示す画像表示部の左右回転を可能にした状態、（Ｂ）は画像表示部の左右回転を制限した状態を表現している。両図を用いて本実施例の特徴的な構造について説明するが、実施例１と同一の部品や仕様については説明を省略する。
【００４１】
画像表示部２、それを支持するスタンドベース固定部５、スタンド回転部６の左右回転機構、一対の引っ張りコイルばねにより、常にスタンドベース固定部５に対してスタンド回転部６および画像表示部２が正面を向く機能は実施例１と同様である。
スライドつまみ２１はスタンドベース固定部５の側面の一部に形成した矩形の貫通部に、左右に摺動可能に嵌合した樹脂製の部品であり、露出する外観部には滑り止めのための複数の溝が加工されている。
【００４２】
カム面２１aは、スライドつまみ２１の内部側に設けた平滑面であり、低い面と高い面
及び両面を連続的に繋げる斜面からなっている。ここで、面の高低は、スタンドベース固定部５の内周壁面からの高さを表す。
レバー２２は回転可能に支持された樹脂製の部品であり、カム面２１aに常に接してい
てスライドつまみ２１の移動により回転する機構である。
回転軸２３は、レバー２２の回転中心に設けた貫通孔に摺動可能に嵌合する金属製の軸形状を成す部品であり、実施例１のシャーシ７に固定されている。
【００４３】
摩擦板２４は、レバー２２の先端付近でカム面２１aと対向する位置に接着された、硬
質ゴム製の部品であり、レバー２２の回転動作に従ってスタンド回転部６に接触したり離間したりする。摩擦板２４は、スタンド回転部６に接触した状態においてスタンド回転部６の回転を規制する規制部である。レバー２２は、ユーザ操作により、摩擦板２４がスタンド回転部６の回転を規制する状態と規制しない状態とを切り替え可能な操作部である。
【００４４】
板ばね２５は、一方の端部がスタンドベース固定部５の内壁部に溶着により固着され、他方の端部がレバー２２の側面部に当接している。ステンレス製のばね材を、Ｖ字状にプレス加工で形成している。
以上説明した構成による本発明の左右回転機構の動作の特徴について、更に説明する。
【００４５】
１．画像表示部の左右回転操作
実施例１と同様に画像表示装置２０を使用するユーザが、画像表示部２を左方向或いは右方向に回転させた状態で、ＰＣから出力した表示画像を利用して作業することができる。操作方法としては、図３（Ａ）において画像表示部２の正面から見て左または右側面の背面側に手を伸ばし、引き寄せる動作をすれば、スタンド回転部６は円滑に回転する。その後に手を離した角度で画像表示部２の向きは保持される。スライドつまみ２１が左方向にスライドさせた位置にあるため、レバー２２はカム面２１aの低い面に板ばね２５によ
って押し付けられ、摩擦板２４がスタンド回転部６の側面から離間しているので、スタンド回転部６は自由に回転できる状態である。
【００４６】
２．画像表示装置の運搬
上記操作の後に作業を終了したユーザが、離れた別の机上に画像表示装置２０を移動させることを想定する。実施例１と異なり、上記作業により調節した画面角度を維持した状態で画像表示装置２０を移動して設置することを考える。
【００４７】
この場合にはスライドつまみ２１を右方向にスライドさせる。このとき、カム面２１a
の低い面に当接していたレバー２２が斜面に沿って高い面に移動する。この動作によりレバー２２は時計回り（上面から見て）に回転し、摩擦板２４がスタンド回転部６の側面に押し付けられる（図３（Ｂ）参照）。
ユーザは、画像表示部２の左右端の底面に両手を掛けて画像表示装置２０を持ち上げるが、摩擦板２４がスタンド回転部６の回転を抑えている。そのため、実施例１のようにシャーシ７とスタンドベース固定部５で構成する構造体が、スタンド回転部６に対して回転することが抑制される。つまり、上記作業で調整した画像表示部２の向きが保持されたままで運搬が可能となる。
【００４８】
尚、スライドつまみ２１を左方向に位置したままで画像表示部２を持ち上げれば、スタンド回転部６は自由に回転できる状態である。そのため、実施例１と同様に引っ張りコイルばねの力によりスタンドベース固定部５が回転して、画像表示部２の正面方向がスタンド回転部６の正面方向と一致した状態になる。
【００４９】
以上説明した構成、機能をまとめると、本発明は以下の特徴を有する。ただし実施例１に対する追加した構成と機能について述べる。
１．スタンドベース固定部５の側面部に設けた矩形の貫通部に、左右に摺動可能で内部にカム面２１aを有するスライドつまみ２１を嵌合させた。
２．スライドつまみ２１を左側から右側に移動する操作により、カム面２１aの低い面か
ら高い面に先端部の当接する位置が移動するようにレバー２２を隣接させた。
３．レバー２２は回転軸２３の周りに回転可能であり、カム面２１aに対向する先端付近
のカム面２１ａとは反対の側にスタンド回転部６の側面に向かい合うように硬質ゴム製の摩擦板２４を接着した。また、レバー２２の先端部がカム面２１ａの高い面に当接する状態において摩擦板２４がスタンド回転部６の側面に押しつけられるように構成した。
４．Ｖ字型の板ばね２５の一端をスタンドベース固定部５の内壁に溶着し、他端をレバー２２の側面に当接させて、常にレバーをカム面２１aに当接する方向に付勢した。
【００５０】
以上の特徴により、本構成によれば以下の効果がある。画像表示部の左右回転機構を有
する画像表示装置において、
１．スタンドベース固定部の側面部に、低い面、斜面、高い面を有するカム面を形成したスライドつまみを摺動可能に取り付け、カム面に先端部が当接するレバーを隣接して設けた。レバーの先端部においてカム面に当接する側と反対の側に摩擦板を設け、先端部がカム面の高い面に当接する状態で摩擦板がスタンド回転部の側面に押し付けられスタンド回転部の回転動作を規制する機構とした。そのため、作業者の要求に応じてスタンドベース固定部に対するスタンド回転部および画像表示部の左右回転を制限できるので、運搬設置性の自由度が増えた。
２．Ｖ字型の板ばねを利用して常にレバー先端部をカム面に当接する方向に付勢したため、スライドつまみ２１が左側に位置している状態では摩擦板２４がスタンド回転部から離間して、スタンド回転部及び画像表示部の回転が自由となる。この状態では、実施例１と同様に画像表示装置を持ち上げて設置位置を移動させた際に、スタンドベース固定部に対する画像表示部の向きは左右均等な状態で設置することができる。
【００５１】
（実施例３）
図４は本実施例の特徴をよく表す画像表示装置の主要なスタンド機構部分を上から見た透視図であり、（Ａ）は破線で示す画像表示部の正面方向がスタンドベース部の正面方向と一致した状態、（Ｂ）は画像表示部を左回転した位置に調整した状態を表現している。両図を用いて本実施例の特徴的な構造について説明するが、実施例１と同一の部品や仕様については説明を省略する。
【００５２】
画像表示装置３０は、薄型の画像表示パネルを利用してＰＣ等の画像出力装置からの画像信号に基づく画像を表示する装置であり、実施例１と同様に画像表示部２とスタンド３１で構成されている。
スタンドベース固定部３２は、内部に、後述する左右回転機構を内蔵し、表面は外観性を有する樹脂製の部品であり、上面から見て矩形のデザインとなっている。
【００５３】
スタンド回転部３３は、スタンドベース固定部３２の中央部に設けた開口に位置する金属製の円盤形状を有する部品である。上面にはスタンド支柱４がねじ（図示せず）で強固に固定され、周囲側面上部はスタンドベース固定部３２と回転可能に嵌合し、更に周囲側面下部にはギヤ歯が形成され、実施例１と同様にシャーシの支持部（図示せず）に摺動部材を介して支持される。
【００５４】
扇ギヤ右３４は、スタンド回転部３３の右側（スタンド正面から見て）に位置して歯面がスタンド回転部３３に形成したギヤと噛み合い、前後に回転可能に配置された第一のギヤである。
回転軸３５は扇ギヤ右３４の回転中心に回転可能に嵌合していて、シャーシ４５にカシメ加工により固定されている。
可動側ばね掛け３６は扇ギヤ右３４の上面に設けた断面円形の突起であり、側面の一部に溝（図示せず）を設けている。
【００５５】
固定側ばね掛け３７は、シャーシ４５にカシメ加工により固定されている断面円形の突起であり、側面の一部に溝（図示せず）を設けている。
コイルばね３８は、回転軸３５に回転可能に嵌合し、一端が可動側ばね掛け３６の溝に当接し、もう一端が固定側ばね掛け３７の溝に当接している。
扇ギヤ左３９は、スタンド回転部３３の左側（スタンド正面から見て）に位置して歯面がスタンド回転部３３に形成したギヤと噛み合い、前後に回転可能に配置された第二のギヤである。
【００５６】
回転軸４０は扇ギヤ左３９の回転中心に回転可能に嵌合していて、シャーシ４５にカシ
メ加工により固定されている。
可動側ばね掛け４１は扇ギヤ左３９の上面に設けた断面円形の突起であり、側面の一部に溝（図示せず）を設けている。
固定側ばね掛け４２は、シャーシ４５にカシメ加工により固定されている断面円形の突起であり、側面の一部に溝（図示せず）を設けている。
コイルばね４３は、回転軸４０に回転可能に嵌合し、一端が可動側ばね掛け４１の溝に当接し、もう一端が固定側ばね掛け４２の溝に当接している。
【００５７】
以上説明した構成による本実施例の支持装置の左右回転機構の動作の特徴について、説明する。
１．画像表示部の左右回転操作
画像表示装置３０を使用する複数のユーザが、図４（Ｂ）に示すように画像表示部２を左方向に回転させているとする。操作方法としては、画像表示部２の正面から見て右側面の背面側に手を伸ばし、引き寄せる動作をすればスタンド回転部３３は円滑に回転する。この時、スタンドベース固定部３２の開口部でスタンド回転部３３が嵌合しているので、画像表示部２が倒れたり外れたりするような不安定な動作を抑制できる。
【００５８】
また、この動作で回転部３３が回転方向４４で示す時計回り（上面から見て）に回転するため、扇ギヤ右３４は手前方向（正面から見て）（上面から見て反時計回り）に、扇ギヤ左３９は奥方向（正面から見て）（上面から見て反時計回り）に回転する。それにより、可動側ばね掛け３６と固定側ばね掛け３７に掛けられたコイルばね３８は、先端同士の角度が広がって付勢力が弱まり、一方の可動側ばね掛け４１と固定側ばね掛け４２に掛けられたコイルばね４３は先端同士の角度が狭まって付勢力が増加する。
【００５９】
ここで、扇ギヤ３４の回転力をＦ１、扇ギヤ３９の回転力をＦ２と定義すると、
図４（Ａ）の状態では、Ｆ１＝Ｆ２
図４（Ｂ）の状態では、Ｆ１＜Ｆ２
と表せる。
つまり、（扇ギヤ３９が手前方向に回転する力）＞（扇ギヤ３４が手前方向に回転する力）となって、スタンド回転部３３には反時計方向に回転する力が作用する。
【００６０】
しかしながら、スタンド回転部３３にはスタンド支柱４や画像表示部２の質量が加わっているため、設置状態ではスタンド回転部３３が反時計方向に回転することはなく、画像表示部２は停止した位置で保持される。
【００６１】
２．画像表示装置の梱包
上記操作の後に作業を終了したユーザが、画像表示装置３０を輸送用の深い段ボール箱に収納することを想定する。このとき、ユーザは、画像表示部２の左右端の底面に両手を掛けて持ち上げる。この動作により、スタンドベース固定部３２の机上との接地部であるシャーシ４５の底面のゴム部材（図示せす）が浮く。このとき、コイルばね３８とコイルばね４３の回転力（回転力Ｆ１＜回転力Ｆ２）により、シャーシ４５とスタンドベース固定部３２で構成する構造体が、スタンド回転部３３に対して時計回り（上面から見て）に回転する。そして、図４（Ａ）の位置で安定する。
【００６２】
これにより、画像表示部２の正面方向とスタンド３１の正面方向とが一致した状態となるので、段ボール箱の上面入り口に接触したりせず、円滑に段ボール箱内部に収納できる。
【００６３】
シャーシ４５とスタンドベース固定部３２がコイルばね４３による回転力Ｆ２で回転できるのは、設置状態と異なり画像表示部２やスタンド支柱４の質量が掛かっていないから
である。また、スタンドベース固定部３２とスタンド回転部３３（および画像表示部２）との正面方向を合わせるために、本実施例に使用するコイルばね３８、コイルばね４３のばね仕様（コイルの線径、巻き径、長さ、回転/ばね力の相関係数）は同じにしている。
【００６４】
以上説明した構成、機能をまとめると、本実施例は以下の特徴を有する。ただし実施例１に対する追加構成と機能について述べる。
１．スタンド支柱４を支持するスタンド回転部３３を、スタンドベース固定部３２の中央部に設けた開口に配置し、シャーシ４５により環状の摺動部材を介して回転可能に支持した。
２．スタンド回転部３３の側面にギヤを形成し、スタンド回転部３３の右側（正面から見て）に隣接配置した扇ギヤ３４、及びに左側（正面から見て）に隣接配置した扇ギヤ３９の各々の歯面をスタンド回転部３３の側面ギヤに噛み合わせた。
３．扇ギヤ３４に設けた可動側ばね掛け３６と、シャーシ４５に設けた固定側ばね掛け３７との間にコイルばね３８を組み込んで、扇ギヤ３４が手前方向（正面から見て）に回転するよう付勢した。一方の扇ギヤ３９に設けた可動側ばね掛け４１と、シャーシ４５に設けた固定側ばね掛け４２との間にコイルばね４３を組み込んで、扇ギヤ３９が手前方向（正面から見て）に回転するよう付勢した。
４．可動側ばね掛け３６と固定側ばね掛け３７との相対位置、および可動側ばね掛け４１と固定側ばね掛け４２との相対位置を合わせた。更にコイルばね３８とコイルばね４３のばね仕様を同一とした。スタンド回転部３３（および画像表示部２）とスタンドベース固定部３２の正面方向が一致する状態で、コイルばね３８の付勢力Ｆ１＝コイルばね４３の付勢力Ｆ２となるように設定した。
【００６５】
以上の特徴により、本構成によれば以下の効果がある。画像表示部の左右回転機構を有する画像表示装置において、
１．スタンド回転部の側面に形成したギヤに、スタンド回転部の左右に隣接配置した一対の扇ギヤの歯面を噛み合わせた。扇ギヤ各々に設けた可動側ばね掛けと、扇ギヤ各々に対応してシャーシに設けた固定側ばね掛けとの間にそれぞれコイルばねを組み込み、両扇ギヤが手前方向（正面から見て）に回転するよう付勢した。更に両方のコイルばねの仕様、および可動側及び固定側のばね掛けの相対位置を扇ギヤの各々で同一にして、画像表示部とスタンドベース固定部の正面方向が一致する状態で、各扇ギヤに対応するコイルばねの付勢力が同一になるように設定した。そのため、画像表示部を持ち上げた状態では、画像表示部の正面方向とスタンドとの正面方向とが一致する状態になるように付勢される。よって、運搬時や梱包時におけるスタンドの位置が安定し、運搬や梱包の作業が円滑に行えるようになる。
２．左右各々に設けたコイルばねのばね力は、画像表示部とスタンド支柱を合わせた質量に対してスタンド回転部を戻すのに必要な力より弱くしたため、画像表示装置を机上などに設置した状態ではスタンド回転部はばね力によって回転することが抑制される。従ってユーザが好みの向きに画像表示部の向きを調整したときに、調整後の位置で画像表示部の向きが保持される。
３．画像表示装置を持ち上げたときにスタンドの正面方向と画像表示部の正面方向とが一致するようにスタンドを回転させる力は、コイルばねで発生した回転力が扇ギヤを介してスタンド回転部に伝達される力である。そのため、回転動作が急激に発生する実施例１と異なり比較的ゆっくりであり、作業者に対しての安心感が高まり、画像表示装置の品質が向上する。
【符号の説明】
【００６６】
３、３１  スタンド；４、５４  スタンド支柱；５、３２  スタンドベース固定部；６、３３、５３  スタンド回転部；１３、１５  ばね
【図１】
2014047859.tif 000003
【図２】
2014047859.tif 000004
【図３】
2014047859.tif 000005
【図４】
2014047859.tif 000006
【図５】
2014047859.tif 000007
【図６】
2014047859.tif 000008